(57)【要約】【課題】ランプ装置を確実に装着できるソケットおよび照明装置を提供する。【解決手段】ソケット22は、ソケット本体30、端子31および押圧部71を備える。ソケット本体30は、挿通口37および一対の接続孔41を有する。挿通口37は、ソケット本体30の中央に設けられ、ランプ装置11の突出部17が挿通される。一対の接続孔41は、ソケット本体30の挿通口37の周囲に設けられ、ランプ装置11の一対の電極ピン19がそれぞれ挿入される挿入孔部42、および挿入孔部42に挿入された電極ピン19が周方向に移動されて係合する係合孔部43を有する。端子31は、接続孔41の側部に配設され、挿入孔部42から係合孔部43に移動される電極ピン19に接触して電気的に接続する。押圧部71は、端子31を挿入孔部42の外側に押圧する。【選択図】図１
2017033760.tif 000002
【特許請求の範囲】
【請求項１】
中央に設けられ、ランプ装置の突出部が挿通される挿通口と、この挿通口の周囲に設けられ、前記ランプ装置の一対の電極ピンがそれぞれ挿入される挿入孔部、およびこの挿入孔部に挿入された前記電極ピンが周方向に移動されて係合する係合孔部が設けられている一対の接続孔とを有するソケット本体と；
前記ソケット本体の前記接続孔の側部に配設され、前記挿入孔部から前記係合孔部に移動される前記電極ピンに接触して電気的に接続する端子と；
前記ソケット本体の前記接続孔の側部に配設された前記端子を前記挿入孔部の外側に押圧する押圧部と；
を具備することを特徴とするソケット。
【請求項２】
前記端子は、前記係合孔部に向けて突出される当接部を有し、前記挿入孔部から前記係合孔部に移動される前記電極ピンが前記当接部の一側に当接するとともに、前記電極ピンで押動される前記当接部が前記係合孔部の外側に弾性変形することで前記電極ピンが前記当接部を乗り越え、前記当接部を乗り越えた前記電極ピンに前記当接部の他側が接触して電気的に接続されており、
前記係合孔部の外側への前記当接部の弾性変形を規制する規制部を具備する
ことを特徴とする請求項１記載のソケット。
【請求項３】
請求項１または２記載のソケットと；
突出部および一対の電極ピンを有し、前記ソケットに装着されるランプ装置と；
を具備することを特徴とする照明装置。
【発明の詳細な説明】
【技術分野】
【０００１】
本発明の実施形態は、ランプ装置を装着するソケット、およびこのソケットを備えた照明装置に関する。
【背景技術】
【０００２】
従来、例えばＧＸ５３形口金、ＧＨ７６ｐ形口金およびＧＨ６９ｈ形口金等の口金を備えたフラット形のランプ装置、およびこのランプ装置を装着するソケットを用いた照明装置がある。
【０００３】
このランプ装置は、一対の電極ピンを備えており、また、このソケットは、一対の接続孔が設けられたソケット本体、および接続孔の側部にそれぞれ配設される一対の端子を備えている。そして、ランプ装置の電極ピンをソケット本体の接続孔にそれぞれ挿入し、ランプ装置を回動させることにより、電極ピンが接続孔内を移動して端子にそれぞれ接触し、電極ピンと端子とがそれぞれ電気的に接続されるように構成されている。
【０００４】
接続孔の側部に配設される端子は、ソケット本体に設けられる端子収容部に収容されているが、端子収容部との間には隙間があり、端子収容部内で動くことが可能となっている。そのため、端子の位置がずれて接続孔に突出することがあり、接続孔にランプ装置の電極ピンを挿入する際、電極ピンの先端面が端子の縁部に引っ掛かって、電極ピンを接続孔の所定の挿入位置まで挿入できず、ランプ装置をソケットに装着できないことが生じるおそれがある。
【先行技術文献】
【特許文献】
【０００５】
【特許文献１】特開２０１１−７０９０１号公報
【発明の概要】
【発明が解決しようとする課題】
【０００６】
本発明が解決しようとする課題は、ランプ装置を確実に装着できるソケットおよび照明装置を提供することである。
【課題を解決するための手段】
【０００７】
実施形態のソケットは、ソケット本体、端子および押圧部を備える。ソケット本体は、挿通口および一対の接続孔を有する。挿通口は、ソケット本体の中央に設けられ、ランプ装置の突出部が挿通される。一対の接続孔は、ソケット本体の挿通口の周囲に設けられ、ランプ装置の一対の電極ピンがそれぞれ挿入される挿入孔部、および挿入孔部に挿入された電極ピンが周方向に移動されて係合する係合孔部を有する。端子は、接続孔の側部に配設され、挿入孔部から係合孔部に移動される電極ピンに接触して電気的に接続する。押圧部は、端子を挿入孔部の外側に押圧する。
【発明の効果】
【０００８】
本発明によれば、ランプ装置を確実に装着できるソケットを提供することが期待できる。
【図面の簡単な説明】
【０００９】
【図１】第１の実施形態を示すソケットの断面図である。
【図２】同上ソケットの底面図である。
【図３】同上ソケットの斜視図である。
【図４】同上ソケットの分解斜視図である。
【図５】同上ソケットの端子およびカバーの斜視図である。
【図６】同上ソケットを用いた照明装置の側面図である。
【図７】第２の実施形態を示すソケットの断面図である。
【図８】同上ソケットの分解斜視図である。
【図９】同上ソケットの端子およびカバーの斜視図である。
【図１０】第３の実施形態を示すソケットの断面図である。
【発明を実施するための形態】
【００１０】
以下、第１の実施形態を、図１ないし図６を参照して説明する。
【００１１】
図６に示すように、照明装置10は、例えばダウンライト等の天井埋込形照明装置である。照明装置10は、光源としてランプ装置11が用いられている。
【００１２】
ランプ装置11は、筐体12、筐体12の下面側に配設される発光部13、この発光部13を覆う透光カバー14、筐体12の上面側に配設される例えばＧＸ５３形の口金15、および口金15と筐体12との間に収容される電源回路16等を備えている。口金15は、上面中央に円筒状の突出部17が突設され、この突出部17の周面の対称位置に一対の略Ｌ字形のキー溝18が形成されている。突出部17の側方で口金15の上面周辺部の対称位置に一対の電極ピン19が突設されている。電極ピン19は、ピン部19aの先端に径大部19bを有する断面Ｔ字形に形成されている。
【００１３】
照明装置10は、器具本体21、この器具本体21にそれぞれ取り付けられたソケット22および反射体23を備えている。
【００１４】
そして、図１ないし図４に示すように、ソケット22は、ソケット本体30、このソケット本体30に配設される一対の端子31および一対の端子カバー32を備えている。ソケット本体30に配設された端子31および端子カバー32の箇所が端子部33として構成され、この端子部33に電力供給のための電源線や送り配線等の電線が挿入接続される。
【００１５】
ソケット本体30は、絶縁性を有する樹脂製で、円環状に一体に形成されている。ソケット本体30は、円環状のフランジ部35、およびこのフランジ部35の内周部から立ち上げられた円筒状の筒部36を備えている。筒部36の内側には、ランプ装置11の突出部17が挿通されて回動可能とする挿通口37が形成されている。
【００１６】
フランジ部35は、平板の円環状で、フランジ部35の外周の対称位置には一対の四角形状の切欠部38が形成されているとともに、これら一対の切欠部38に直交するフランジ部35の外周の対称位置には一対の円形状の切欠部39が形成されている。
【００１７】
フランジ部35には、端子31および端子カバー32がそれぞれ配設される一対の端子配設部40が設けられている。端子配設部40は、フランジ部35の中心に対して点対称の位置に、点対称となる構造でそれぞれ設けられている。端子配設部40は、筒部36と切欠部38との間で、フランジ部35の接線方向に沿ってそれぞれ設けられている。
【００１８】
フランジ部35には、ランプ装置11の電極ピン19がそれぞれ挿入される一対の接続孔41が設けられている。すなわち、端子配設部40に、接続孔41がそれぞれ設けられている。接続孔41は、接続孔41の一端側に設けられ、ランプ装置11の電極ピン19が挿入される円形の挿入孔部42と、接続孔41の他端側に設けられ、挿入孔部42に挿入された電極ピン19が周方向に移動されて係合する係合孔部43とを備えている。挿入孔部42は、電極ピン19の径大部19bが挿入可能な内径寸法の円形孔状に形成されている。係合孔部43は、電極ピン19の径大部19bの直径よりも溝幅が狭く、周方向に移動する電極ピン19のピン部19aが移動可能な円弧溝状に形成されている。
【００１９】
端子配設部40は、フランジ部35に立設されていて端子カバー32を嵌合する壁部44を備えている。壁部44は、フランジ部35の内径側に設けられる内側壁部45、およびフランジ部35の外径側に設けられる外側壁部46を備えている。壁部44の内側に、端子カバー32を嵌合する空間部47が上方に開口形成されているとともに、この空間部47に連通して接続孔41が形成されている。
【００２０】
内側壁部45は、中間部が筒部36に一体形成され、両端部が端子31の形状に合わせて屈曲形成されている。外側壁部46は、フランジ部35の接線方向に沿って直線状に形成されている。内側壁部45の中間部（筒部36）、および外側壁部46の両端部には、壁部44に嵌合された端子カバー32を係止するための係止溝48がそれぞれ設けられている。
【００２１】
フランジ部35には、ソケット本体30を器具本体21にねじ止め固定するための複数のボス49が立設されている。
【００２２】
筒部36の内面には、ランプ装置11のキー溝18が係合する一対のキー50が突設されている。
【００２３】
また、図１、図２、図４および図５に示すように、端子31は、導電性を有する板ばねによって構成されている。端子31は、端子カバー32内に収容されてソケット本体30の端子配設部40に配設され、ソケット本体30の外径側である接続孔41の外側部に配設されている。
【００２４】
端子31の長手方向の両端部には、電線を接続する電線接続部53がそれぞれ設けられている。電線接続部53は、端子31の端部に設けられた孔54から挿入される電線を電気的接続状態に係止する鎖錠端子によって構成されている。
【００２５】
端子31の中間部には、接続孔41の係合孔部43に向けて突出される当接部55が設けられている。当接部55は、端子31の両端部から頂部56に向けて山形に突出され、この頂部56の一側すなわち挿入孔部42側に傾斜状の導入面部57が設けられ、頂部56の他側すなわち挿入孔部42に対して反対側に傾斜状の接続面部58が設けられている。本実施形態では、当接部55の頂部56が係合孔部43上に突出されている。
【００２６】
そして、挿入孔部42に挿入されて係合孔部43上に移動される電極ピン19の径大部19bが当接部55の一側の導入面部57に当接するとともに、電極ピン19の径大部19bで押動される当接部55が係合孔部43の外側であって外径側に弾性変形することで電極ピン19の径大部19bが当接部55の頂部56を乗り越え、当接部55の頂部56を乗り越えた電極ピン19の径大部19bに当接部55の他側の接続面部58が圧接して電気的に接続される。
【００２７】
また、図１、図３ないし図５に示すように、端子カバー32は、絶縁性を有する樹脂製で、細長く形成されている。端子カバー32の内部に端子31を収容する端子収容部61が形成され、端子カバー32の長手方向の両端に電線を挿入する挿入孔62を有する挿入筒部63が突設されている。挿入孔62は端子収容部61にそれぞれ連通されている。また、挿入孔62の側方に連通して挿入孔62よりも幅が狭いスリット溝68が形成されている。このスリット溝68は、端子収容部61側にいくに従って電線接続部53に向かって傾斜しており、スリット溝68に棒状の治具を挿入し電線接続部53による電線の係止を解除操作するためのリリース孔として機能する。
【００２８】
端子カバー32は、端子配設部40の内側壁部45の内側に嵌合される第１の側面部64、外側壁部46の内側に嵌合される第２の側面部65、およびこれら第１の側面部64と第２の側面部65の上面を閉塞する閉塞部66を有している。第１の側面部64は、中間部が筒部36に外周面に嵌合するように円弧状に形成され、長手方向の両端が内側壁部45に嵌合するように屈曲形成されている。第２の側面部65は、外側壁部46に嵌合するように直線状に形成されている。第１の側面部64、第２の側面部65、閉塞部66、および両端の挿入筒部63の間に端子収容部61が形成され、この端子収容部61の下面が開口されている。
【００２９】
端子カバー32の第１の側面部64の中間部、および第２の側面部65の両端部には、端子配設部40の係止溝48に係止される係止爪67がそれぞれ突設されている。
【００３０】
端子収容部61には、端子31の両端の電線接続部53が端子収容部61の両端にそれぞれ配置されているとともに、端子31の両端間の中間部が第２の側面部65の内面側に沿って配置されている。したがって、端子31を収容した端子カバー32がソケット本体30の端子配設部40に取り付けられることにより、端子カバー32内の端子31はソケット本体30の外径側である接続孔41の外側部に配設される。
【００３１】
端子カバー32は、端子収容部61内に突出するガイド部69およびリブ70を備えている。ガイド部69およびリブ70は、閉塞部66の下面から一体に突設されている。ガイド部69は、接続孔41の一端側すなわち挿入孔部42の一端側に配置され、挿入孔部42の内周縁に沿って断面円弧状に形成されている。リブ70は、接続孔41の他端側よりも外側に配置される。
【００３２】
ガイド部69およびリブ70は、端子カバー32の第２の側面部65の内面に対して、端子31を圧入配置するための所定の間隔をあけて設けられている。ガイド部69およびリブ70は、端子収容部61に収容された端子31に当接し、すなわち、端子31の当接部55の導入面部57および接続面部58に当接し、端子31を第２の側面部65との間に挟み込み、端子31を第２の側面部65の内面に向けて押圧している。したがって、ガイド部69およびリブ70は、端子31に接触するとともにその端子31をソケット本体30の外径側である挿入孔部42の外側に押圧する押圧部71として構成されている。
【００３３】
端子カバー32は、電極ピン19によって端子31が押動された際に、端子31の変形を規制する規制部72を備えている。規制部72は、端子31の当接部55の頂部56に対向して、端子カバー32の第２の側面部65から突設されている。電極ピン19が接触していない端子31と規制部72との間には所定の間隔が設けられ、電極ピン19によって押動される端子31の変形を可能としているが、端子31が規制部72に当接することで端子31の無理な変形を規制する。
【００３４】
本実施形態では、端子カバー32が押圧部71および規制部72を備えている。
【００３５】
また、図６に示すように、反射体23は、上下面が開口され、上部側から下部側にかけて拡径する円筒状に形成されている。反射体23の上部が器具本体21に取り付けられている。反射体23の下面には、開口23aが形成されている。
【００３６】
次に、本実施形態の作用を説明する。
【００３７】
ソケット22を組み立てる際には、まず、端子31を端子カバー32の端子収容部61に収容する。このとき、端子31をガイド部69およびリブ70によって構成される押圧部71と第２の側面部65との間に圧入する。端子31の両端の電線接続部53は端子カバー32の挿入孔62の内側にそれぞれ配置する。
【００３８】
続いて、端子31を収容した端子カバー32を、ソケット本体30の端子配設部40に取り付ける。このとき、端子カバー32を端子配設部40の壁部44の内側に嵌合し、端子カバー32の各係止爪67を端子配設部40の各係止溝48に係止する。
【００３９】
そして、ソケット22を組み立てた状態では、端子31は、ソケット本体30の外径側である接続孔41の外側部に配設される。端子31は、押圧部71（ガイド部69およびリブ70）によって接続孔41の挿入孔部42の外側に押圧されているため、接続孔41の挿入孔部42上に突出することはなく、挿入孔部42の外側部に配置される。
【００４０】
そして、照明装置10を設置する際には、給電用の一対の電線を、一対の端子部33の挿入孔62に挿入して端子31の電線接続部53にそれぞれ電気的に接続する。
【００４１】
また、ランプ装置11を照明装置10に装着する際には、突出部17をソケット22の挿通口37に挿入するとともに、一対の電極ピン19をソケット22の一対の接続孔41の挿入孔部42にそれぞれ挿入し、ランプ装置11を所定の装着方向に回動させる。これにより、電極ピン19のピン部19aが接続孔41の係合孔部43内に移動するとともに、電極ピン19の径大部19bが係合孔部43上に移動し、電極ピン19の径大部19bが端子31の当接部55に電気的に接続される。さらに、突出部17のキー溝18がソケット22のキー50に引っ掛かってランプ装置11がソケット22に装着される。
【００４２】
また、電線を通じてソケット22に電源が供給されると、電源が端子31を通じてランプ装置11の電極ピン19から電源回路16に供給され、発光部13が発光し、発光部13からの光が反射体23の開口23aから下方へ照射される。
【００４３】
そして、本実施形態では、押圧部71によって端子31を接続孔41の挿入孔部42の外側に押圧しているため、端子カバー32内での端子31の動きを規制し、端子31が挿入孔部42上に突出するのを防止している。
【００４４】
そのため、一対の電極ピン19をソケット22の一対の接続孔41の挿入孔部42にそれぞれ挿入する際、一対の電極ピン19間のピッチが規格によって定められている寸法範囲の中で最も広い場合や、ランプ装置11がソケット22の一方の接続孔41側に片寄った状態で電極ピン19が挿入孔部42に挿入された場合でも、電極ピン19が端子31に引っ掛かることなく、挿入孔部42の所定の挿入位置まで挿入することができる。
【００４５】
さらに、一対の電極ピン19を一対の接続孔41の挿入孔部42にそれぞれ挿入した後に、ランプ装置11を所定の装着方向に回動させる際、挿入孔部42から係合孔部43上に移動する電極ピン19の径大部19bの周面が端子31の当接部55の導入面部57に当接し、電極ピン19の径大部19bで当接部55を押動することにより、押動された当接部55が係合孔部43の外側に弾性変形することで電極ピン19の径大部19bが当接部55の頂部56を乗り越え、当接部55の頂部56を乗り越えた電極ピン19の径大部19bに当接部55の接続面部58が圧接して電気的に接続される。さらに、電極ピン19の径大部19bに当接部55の接続面部58が圧接することにより、ランプ装置11をソケット22に対する装着方向に回動するように付勢し、ランプ装置11をソケット22に保持している。
【００４６】
このとき、ソケット22に対してランプ装置11が同心位置で回動する場合（通常時という）には、電極ピン19の径大部19bで押動された当接部55が係合孔部43の外側に無理なく弾性変形の範囲内で変形するが、ソケット22に対してランプ装置11が偏心した状態で回動する場合には、電極ピン19の径大部19bで押動される当接部55が係合孔部43の外側に通常時よりも大きく変形されるため、端子31にへたりが生じて電極ピン19との圧接力が低下する虞がある。
【００４７】
本実施形態では、電極ピン19の径大部19bで押動される当接部55が係合孔部43の外側に通常時よりも大きく変形しようとした場合、当接部55が規制部72に当接し、当接部55の変形を規制し、端子31の劣化を抑制している。
【００４８】
以上のように、本実施形態のソケット22では、押圧部71によって端子31を接続孔41の挿入孔部42の外側に押圧しているため、電極ピン19が端子31に引っ掛かることなく挿入孔部42の所定の挿入位置まで挿入することができ、ランプ装置11をソケット22に確実に装着できる。
【００４９】
また、規制部72によって当接部55の変形量を規制するため、端子31の劣化を防止できる。
【００５０】
また、押圧部71は端子31を収容する端子カバー32に設けているため、端子31を端子カバー32に容易に組み付けることができるとともに、端子カバー32をソケット本体30の端子配設部40に容易に組み付けることができ、組立性を向上できる。
【００５１】
さらに、規制部72も端子カバー32に設けているため、端子31の当接部55と規制部72との位置関係が一定となり、規制部72によって当接部55の変形を確実に規制することができる。
【００５２】
また、押圧部71は、端子31の当接部55の導入面部57および接続面部58の２箇所を押圧するため、端子31を接続孔41の挿入孔部42の外側に確実に押圧することができる。
【００５３】
次に、図７ないし図９に第２の実施形態を示す。なお、第１の実施形態と同じ構成については同じ符号を用い、その構成および作用効果についての説明を省略する。
【００５４】
押圧部71を構成するガイド部69およびリブ70は、端子カバー32ではなく、ソケット本体30に設けている。
【００５５】
この場合、端子カバー32をソケット本体30の端子配設部40に取り付ける際に、端子カバー32に収容されている端子31をガイド部69およびリブ70の外側に圧入する。このとき、例えばガイド部69およびリブ70の先端角部にテーパー部を設けておくことにより、端子31をガイド部69およびリブ70の外側に容易に圧入することができる。
【００５６】
そして、押圧部71をソケット本体30に設けることにより、押圧部71と接続孔41との位置関係は常に一定であるため、この押圧部71によって端子31を接続孔41の挿入孔部42の外側に確実に配設することができる。
【００５７】
また、ガイド部69が接続孔41の挿入孔部42の内縁に沿って立設されるので、挿入孔部42の内周面からガイド部69の内周面に亘って切れ目がなく、電極ピン19の径大部19bを挿入孔部42の内周面からガイド部69の内周面に沿って円滑に挿入することができる。
【００５８】
なお、端子カバー32には、規制部72を設けていないが、規制部72を設けてもよい。また、規制部72は、ソケット本体30に設けてもよい。
【００５９】
次に、図１０に第３の実施形態を示す。なお、上述した各実施形態と同じ構成については同じ符号を用い、その構成および作用効果についての説明を省略する。
【００６０】
端子31は、端子カバー32内に収容されてソケット本体30の端子配設部40に配設されるが、ソケット本体30の外径側である接続孔41の外側部ではなく、ソケット本体30の内径側である接続孔41の内側部に配設される。
【００６１】
押圧部71は、ソケット本体30に設けられたガイド部69およびリブ70によって構成されている。押圧部71は、端子31に接触するとともにその端子31をソケット本体30の内径側である挿入孔部42の外側に押圧する。すなわち、ガイド部69およびリブ70は、端子カバー32の端子収容部61に収容された端子31に当接し、端子31を端子カバー32の第１の側面部64との間に挟み込み、端子31を第１の側面部64の内面に向けて押圧している。
【００６２】
そして、本実施形態では、押圧部71によって端子31を接続孔41の挿入孔部42の外側（ソケット本体30の内径側）に押圧しているため、端子カバー32内での端子31の動きを規制し、端子31が挿入孔部42上に突出するのを防止している。
【００６３】
そのため、一対の電極ピン19をソケット22の一対の接続孔41の挿入孔部42にそれぞれ挿入する際、ランプ装置11の一対の電極ピン19間のピッチが規格によって定められている寸法範囲の中で最も狭い場合や、ランプ装置11がソケット22の一方の接続孔41側に片寄った状態で電極ピン19が挿入孔部42に挿入された場合でも、電極ピン19が端子31に引っ掛かることなく、挿入孔部42の所定の挿入位置まで挿入することができる。
【００６４】
本実施形態のソケット22では、押圧部71によって端子31を接続孔41の挿入孔部42の外側（ソケット本体30の内径側）に押圧しているため、電極ピン19が端子31に引っ掛かることなく挿入孔部42の所定の挿入位置まで挿入することができ、ランプ装置11をソケット22に確実に装着できる。
【００６５】
なお、ランプ装置11およびソケット22は、ＧＸ５３形口金に対応したものに限らず、ＧＨ７６ｐ形口金やＧＨ６９ｈ形口金に対応したものでもよい。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
10    照明装置
11    ランプ装置
17    突出部
19    電極ピン
22    ソケット
30    ソケット本体
31    端子
37    挿通口
41    接続孔
42    挿入孔部
43    係合孔部
55    当接部
71    押圧部
72    規制部
【図１】
2017033760.tif 000003
【図２】
2017033760.tif 000004
【図３】
2017033760.tif 000005
【図４】
2017033760.tif 000006
【図５】
2017033760.tif 000007
【図６】
2017033760.tif 000008
【図７】
2017033760.tif 000009
【図８】
2017033760.tif 000010
【図９】
2017033760.tif 000011
【図１０】
2017033760.tif 000012